(57)【要約】【課題】光ディスク上の論理アドレス開始点を変更可能とすることで、同一ディスク上に複数のコンテンツを格納できる大容量光記録媒体のファイル管理システムを提供する。【解決手段】光ディスク記録媒体にコンテンツの管理情報を記録するコンテンツ管理情報記録領域を設け、このコンテンツ管理情報記録領域に複数のコンテンツの管理情報を記録し、コンテンツ管理情報には、コンテンツ管理情報であることを示すコンテンツ識別子、コンテンツ総数、各コンテンツ毎のコンテンツ名とコンテンツ先頭物理セクタアドレス及びコンテンツ最終物理セクタアドレスを含み、コンテンツ先頭物理セクタアドレスをそのコンテンツの論理アドレス＝０とする。【選択図】図２
2007265462.tif 000002
【特許請求の範囲】
【請求項１】
光ディスク記録媒体にコンテンツの管理情報を記録するコンテンツ管理情報記録領域を設け、
このコンテンツ管理情報記録領域に複数のコンテンツの管理情報を記録することを特徴とする大容量光記録媒体のファイル管理システム。
【請求項２】
前記コンテンツ管理情報には、コンテンツ管理情報であることを示すコンテンツ識別子、コンテンツ総数、各コンテンツ毎のコンテンツ名とコンテンツ先頭物理セクタアドレス及びコンテンツ最終物理セクタアドレスを含み、
前記コンテンツ先頭物理セクタアドレスをそのコンテンツの論理アドレス＝０とすることを特徴とする請求項１に記載の大容量光記録媒体のファイル管理システム。
【請求項３】
前記光ディスク記録媒体に新たなコンテンツを記録する場合、前記コンテンツ総数に１を加え、前記光ディスク記録媒体の空いている領域に新たなコンテンツ先頭物理セクタアドレス及びコンテンツ最終物理セクタアドレスを設定することを特徴とする請求項２に記載の大容量光記録媒体のファイル管理システム。
【請求項４】
前記光ディスク記録媒体に、同じ内容のコンテンツデータを２つのコンテンツとして異なる領域に記録し、２重化データとすることを特徴とする請求項１に記載の大容量光記録媒体のファイル管理システム。
【請求項５】
光ディスク記録媒体にコンテンツの管理情報を記録するコンテンツ管理情報記録領域を設け、
このコンテンツ管理情報記録領域に複数のコンテンツの管理情報を記録することを特徴とする大容量光記録媒体のファイル管理方法。
【請求項６】
前記コンテンツ管理情報には、コンテンツ管理情報であることを示すコンテンツ識別子、コンテンツ総数、各コンテンツ毎のコンテンツ名とコンテンツ先頭物理セクタアドレス及びコンテンツ最終物理セクタアドレスを含み、
前記コンテンツ先頭物理セクタアドレスをそのコンテンツの論理アドレス＝０とすることを特徴とする請求項５に記載の大容量光記録媒体のファイル管理方法。
【請求項７】
前記光ディスク記録媒体に新たなコンテンツを記録する場合、前記コンテンツ総数に１を加え、前記光ディスク記録媒体の空いている領域に新たなコンテンツ先頭物理セクタアドレス及びコンテンツ最終物理セクタアドレスを設定することを特徴とする請求項６に記載の大容量光記録媒体のファイル管理方法。
【請求項８】
前記光ディスク記録媒体に、同じ内容のコンテンツデータを２つのコンテンツとして異なる領域に記録し、２重化データとすることを特徴とする請求項５に記載の大容量光記録媒体のファイル管理方法。
【請求項９】
複数のコンテンツの管理情報を記録するコンテンツ管理情報記録領域を設けられ、
前記コンテンツ管理情報には、コンテンツ管理情報であることを示すコンテンツ識別子、コンテンツ総数、各コンテンツ毎のコンテンツ名とコンテンツ先頭物理セクタアドレス及びコンテンツ最終物理セクタアドレスが含まれることを特徴とする光記録媒体。
【発明の詳細な説明】
【技術分野】
【０００１】
本発明は、高密度・大容量の光ディスクに適用して好適な大容量光記録媒体のファイル管理システムに関する。
【背景技術】
【０００２】
図１は、従来の光ディスクにおける、コンテンツ記録状態を示す。それぞれの光ディスクには、一つのコンテンツが格納され、各コンテンツ用のファイル管理情報が記録されていた。
【０００３】
ところで、近年、ＨＤ ＤＶＤに代表される高密度・大容量の光ディスク記録媒体が開発されている。これらの次世代型光ディスクは、高密度・大容量であるため、記録容量としては複数のコンテンツを記録できるものである。
【０００４】
また、情報記録媒体のＲＯＭ領域内に、複数のファイルシステムあるいはＯＳに対応するファイル管理領域を設け、これらのファイル管理領域の内の１つの領域に書き込まれたファイル管理情報に対応するＯＳでファイル管理を行わせる場合には、当該ファイル管理領域の先頭位置の論理アドレス（ＬＢＡ：Logical Block Address）を“０００”とするように、物理セクタアドレス（ＰＳＮ：Physical Sector Number）から論理アドレスへのアドレス変換を行うディスク記録媒体がある（例えば、特許文献１参照）。
【特許文献１】特開平８−２７２５４１号公報
【発明の開示】
【発明が解決しようとする課題】
【０００５】
しかしながら、従来の光ディスクでは、通常一つのディスクに、一つのコンテンツが格納されているので、コンテンツ容量が少ない場合などは、外周のディスク容量が有効に活用されなかった。
【０００６】
従来の光ディスクにおいては、ファイル管理情報の位置が固定であるため、既存のファイルシステムでアクセス可能なコンテンツを作成する場合において、個々が独立したコンテンツを一つの光ディスクに格納することは困難であった。また、複数のメディアに格納されていたコンテンツを一つのメディアにまとめようとした際に、再構成する必要があった。
【０００７】
また、光ディスクに使用されるファイルシステムでは、ファイル情報を格納する基準となる論理アドレスが固定であり、記録に失敗した際、外周に未使用領域があったとしても、その領域を有効に利用することが出来なかった。
【０００８】
そこで本発明は、大容量光ディスク記録再生装置において、光ディスク上の論理アドレス開始点を変更可能とすることによって、同一ディスク上に複数のコンテンツを格納できる大容量光記録媒体のファイル管理システム及び方法を提供することを目的とする。
【課題を解決するための手段】
【０００９】
上述の課題を解決するため、本発明は、光ディスク記録媒体にコンテンツの管理情報を記録するコンテンツ管理情報記録領域を設け、このコンテンツ管理情報記録領域に複数のコンテンツの管理情報を記録し、コンテンツ管理情報には、コンテンツ管理情報であることを示すコンテンツ識別子、コンテンツ総数、各コンテンツ毎のコンテンツ名とコンテンツ先頭物理セクタアドレス及びコンテンツ最終物理セクタアドレスを含み、前記コンテンツ先頭物理セクタアドレスをそのコンテンツの論理アドレス＝０とすることを特徴とする。
【００１０】
以上の構成によって、ディスク上の論理アドレス開始位置を動的に可変し、１枚のメディアを複数のメディアのように使用することを可能とする。
【００１１】
本発明では、従来１対１で固定的に割り当てられていた論理アドレスと物理セクタアドレスの関係を相対的なものにすることによって固定の論理アドレスへ配置されるべきファイル管理情報をファイルシステムに変更を加えることなく一つの光ディスク上で切り替えることを可能としている。
【００１２】
また、新しい大容量光ディスクが出来た際には、過去の複数の光ディスクコンテンツを１枚の新しい大容量光ディスクにデータ構成上の変更を加えることなく格納して利用することができる。
【発明の効果】
【００１３】
本発明による第１の効果は、一枚の光ディスクに複数のコンテンツを格納可能なことである。
【００１４】
第２の効果は、論理アドレスと物理セクタアドレスの関係が相対的であるため記録に失敗した際に、失敗した部分をよけて光ディスクを使用することが可能なことである。
【発明を実施するための最良の形態】
【００１５】
次に、本発明の最良の形態について図面を参照して説明する。
【００１６】
図２（ａ）は、本発明による光ディスクのコンテンツ記録状態を示す。記録するコンテンツの管理情報を記録するコンテンツ管理情報記録領域を設け、このコンテンツ管理情報記録領域にコンテンツ１とコンテンツ２の管理情報が記録されている。
【００１７】
図２（ｂ）は、コンテンツ１をアクセス対象とした状態を示し、コンテンツ１の先頭ＰＳＮをＬＢＡ＝０としている。ＬＢＡの最初の領域には、コンテンツ１用ファイル管理情報が記録されている。
【００１８】
図２（ｃ）は、コンテンツ２をアクセス対象とした状態を示し、コンテンツ２の先頭ＰＳＮをＬＢＡ＝０としている。ＬＢＡの最初の領域には、コンテンツ２用ファイル管理情報が記録されている。
【００１９】
図３は、本発明を実施するためのシステム構成図である。本システムは、複数のコンテンツを記録可能な光ディスク１と、光ディスク１を挿入可能で、光ディスク１の情報の読み書きが可能な光ディスク記録再生ドライブ２と、光ディスク記録再生ドライブ２を制御することによって光ディスク１上の任意のコンテンツを再生、もしくは任意のコンテンツを光ディスク１に対して記録する制御コンピュータ３と、光ディスク記録ドライブ２と制御コンピュータ３を接続し情報伝達を可能とするバス４から構成される。
【００２０】
光ディスク１は、複数のコンテンツが格納されており（もしくは格納可能であり）、コンテンツの管理情報を記録するコンテンツ管理情報記録領域が設けられている。コンテンツ管理情報には、コンテンツ管理情報であることを示すコンテンツ識別子、コンテンツ総数、コンテンツ名（ラベル）、ジャンル、コンテンツ先頭ＰＳＮ（ＬＢＡ＝０となるＰＳＮの値）、コンテンツ最終ＰＳＮが含まれる。コンテンツ名（ラベル）、ジャンル、コンテンツ先頭ＰＳＮ、コンテンツ最終ＰＳＮは、各コンテンツ毎に設定される。
【００２１】
光ディスク記録再生ドライブ２は、光ディスク１を挿入可能で、制御コンピュータ３とバス４を介して接続されている。また、光ディスク１からデータを読み出す機能、データを記録する機能、および制御コンピュータ３との通信機能を有している。光ディスク記録再生ドライブ２は、光ディスク１が挿入されると、光ディスク１のコンテンツ管理情報、ファイル管理情報、ディスクの記録状態等を取得し、制御コンピュータ３の要求に応じてそれらの情報をバス４を介して通知する。
【００２２】
制御コンピュータ３は、光ディスク記録再生ドライブ２から得た情報を元に光ディスク１上の希望するコンテンツを指定し、再生の際にはコンテンツデータを読み出すことを光ディスク記録再生ドライブ２に指示し、バス４を介してコンテンツデータを取得する。また、制御コンピュータ３は、コンテンツを記録する際、光ディスク記録再生ドライブ２へバス４を介して記録を指示し、コンテンツデータを送信することで光ディスク１へコンテンツの記録を行う。
【００２３】
光ディスクへの複数コンテンツの記録の応用として、同じ内容のコンテンツデータを２つのコンテンツとして異なる領域に記録し、２重化データとすることもできる。コンテンツを記録した光ディスクが傷等によってデータの読み出しができなくなった場合、他方の領域に記録した同じ内容のデータを読み出すことができ、信頼性を向上することができる。
【００２４】
この場合、コンテンツ識別子に、２重化データ記録媒体であることを示すデータを付与することによって、ドライブ装置でディスクを読み取る際に、２重化データの一方のデータの読み取りに失敗しても、他方のデータを読み取ることができる。また、対になる２重化データを読み取り、比較して同じであるか否かを判定することによって、記録媒体の信頼性を検証することもできる。
【００２５】
図４は、上記構成のシステムの動作を示すシーケンス図である。
【００２６】
光ディスク記録再生ドライブ２に光ディスク１が挿入されると、光ディスク記録再生ドライブ２は、光ディスク１のコンテンツ管理情報、ファイル管理情報、ディスクの記録状態等を取得し、光ディスク１の挿入および記録再生の準備が整ったことを制御コンピュータ３へ通知する（Ｓ１）。
【００２７】
制御コンピュータ３は、光ディスク１が挿入されたことを通知されると、光ディスク１対してユーザーの要求を反映するために必要な情報を、光ディスク記録再生ドライブ２に対し要求する（Ｓ２）。
【００２８】
光ディスク記録再生ドライブ２は、光ディスク１より必要な情報を収集し、結果を制御コンピュータ３へ通知する（Ｓ３）。この情報により、制御コンピュータ３は光ディスク１が複数のコンテンツを持つディスクであること、コンテンツの数等を認識する（Ｓ４）。
【００２９】
制御コンピュータ３は、光ディスク記録再生ドライブ２に対し光ディスク１のコンテンツ管理情報を要求する（Ｓ５）。
【００３０】
光ディスク記録再生ドライブ２は、光ディスク１よりコンテンツ管理情報を収集し、結果を制御コンピュータ３へ通知する（Ｓ６）。
【００３１】
制御コンピュータ３は、通知されたコンテンツ管理情報からアクセス対象のコンテンツを選択する（Ｓ７）。
【００３２】
制御コンピュータ３は、選択したコンテンツのＬＢＡ開始ＰＳＮを光ディスク記録再生ドライブ２に対し指定することで（Ｓ８）、アクセス対象コンテンツに対するアクセスを行う（Ｓ９）。
【実施例】
【００３３】
図５は、ＤＶＤ−Ｒを例に、２つのコンテンツを記録する例を示す。ＤＶＤ−Ｒでは、ＲＭＤ(Recording Management Data)にコンテンツ管理情報を記録する。
【００３４】
（ａ）まず、未記録のＤＶＤ−Ｒにコンテンツ１を記録するため、ＬＢＡ＝０となる先頭ＰＳＮを設定する。
【００３５】
（ｂ）設定された記録領域にコンテンツ１のデータを記録し、ＲＭＤにコンテンツ１のコンテンツ管理情報（コンテンツ総数、コンテンツ名、先頭ＰＳＮ、最終ＰＳＮ等）を記録する。
【００３６】
（ｃ）コンテンツ２を記録する場合、コンテンツ１を記録したＤＶＤ−Ｒは、制御コンピュータからは、コンテンツ１分容量の減った未記録ディスクとして認識される。この一部記録済ディスクに新たなコンテンツ２を記録するため、ＬＢＡ＝０となる先頭ＰＳＮの位置をずらして設定する。
【００３７】
（ｄ）設定された記録領域にコンテンツ２のデータを記録し、コンテンツ総数に１を加え、ＲＭＤにコンテンツ２のコンテンツ管理情報（コンテンツ総数、コンテンツ名、先頭ＰＳＮ、最終ＰＳＮ等）を追記する。
【００３８】
図６は、ＤＶＤ−Ｒを例に、２つのコンテンツを記録した記録媒体から読み取る例を示す。
【００３９】
（ａ）まず、ＲＭＤから記録されているコンテンツの数を判別する。制御コンピュータは、コマンドでＤＶＤ−Ｒに記録されているコンテンツの数とその内容を取得する。ユーザーの操作によって読み出すコンテンツをコマンドにてドライブに通知する。
【００４０】
（ｂ）コンテンツ１が指定される場合、コンテンツ１の先頭ＰＳＮがＬＢＡ＝０となり、アクセスエリアがコンテンツ１の先頭ＰＳＮから最終ＰＳＮに制限される。このため、制御コンピュータからはコンテンツ１のみが記録されているディスクのように認識される。
【００４１】
（ｃ）コンテンツ２が指定される場合、コンテンツ２の先頭ＰＳＮがＬＢＡ＝０となり、アクセスエリアがコンテンツ２の先頭ＰＳＮから最終ＰＳＮに制限される。このため、制御コンピュータからはコンテンツ２のみが記録されているディスクのように認識される。
【産業上の利用可能性】
【００４２】
本発明は、大容量の光ディスク全般に利用できる。例えば、読み取り専用型、追記型、書き換え可能型等の種類を問わない。また、記録するコンテンツも、コンピュータデータ、映像コンテンツ等あらゆる内容のものが考えられる。
【図面の簡単な説明】
【００４３】
【図１】従来の光ディスクにおけるコンテンツ記録状態を示す図である。
【図２】本発明による光ディスクのコンテンツ記録状態を示す図である。
【図３】本発明を実施するためのシステム構成図である。
【図４】本発明によるシステムの動作を示すシーケンス図である。
【図５】ＤＶＤ−Ｒに２つのコンテンツを記録する例を示す図である。
【図６】ＤＶＤ−Ｒから２つのコンテンツを読み取る例を示す図である。
【符号の説明】
【００４４】
１  光ディスク
２  光ディスク記録再生ドライブ
３  制御コンピュータ
４  バス
【図１】
2007265462.tif 000003
【図２】
2007265462.tif 000004
【図３】
2007265462.tif 000005
【図４】
2007265462.tif 000006
【図５】
2007265462.tif 000007
【図６】
2007265462.tif 000008